(57)【要約】【課題】簡易な構成で、板状信号伝送媒体の挿入が行われる際における無用な導通を防止することを可能とする。【解決手段】導電性コンタクト部材１３のカム受け部１３ｂ３から連結ビーム１３ｃに至る領域に剛性を小さくした変位拡張部１３ｂ４を設け、絶縁ハウジング１１の内部に板状信号伝送媒体Ｆを挿入する際に、導電性コンタクト部材１３の接触部１３ａ１をコンタクト収容部１１ｃの内部に没した媒体挿入通路１１ａに突出しない状態に配置することで、板状信号伝送媒体Ｆが導電性コンタクト部材１３の接触部１３ｂ１に接触させないようにする一方、アクチュエータカム１２ａを作用位置に回動した状態では、変位拡張部１３ｂ４の曲げ変形に基づいて導電性コンタクト部材１３の接触部１３ｂ１を板状信号伝送媒体Ｆに当接させて良好に挟持する構成としたものである。【選択図】図９
2018022618.tif 000002
【特許請求の範囲】
【請求項１】
配線基板上に実装した状態で使用されるものであって、
板状信号伝送媒体が挿入される媒体挿入通路を有する絶縁ハウジングと、
前記媒体挿入通路を形成している前記絶縁ハウジングの表面の一部からなり、前記媒体挿入通路の内部に挿入された前記板状信号伝送媒体を案内する媒体ガイド面と、
前記媒体ガイド面から溝状に窪む状態に凹設されたコンタクト収容部と、
前記コンタクト収容部の内部に一部が配置された導電性コンタクト部材と、
前記導電性コンタクト部材に設けられたカム受け部に回動可能に支持されて、待機位置と作用位置との間で回動操作されるアクチュエータカムと、を備え、
前記導電性コンタクト部材が、前記アクチュエータカムと当接する状態に対向配置された第１ビーム及び第２ビームと、前記第１ビーム及び第２ビームにおける延在方向の途中位置を一体的に繋ぐ連結ビームと、を有しているとともに、
前記連結ビームを境として前記第１ビーム又は第２ビームにおける延在方向の一方側に配置された前記カム受け部に支持された前記アクチュエータカムが、前記待機位置から前記作用位置に回動操作されることで前記第１ビーム及び第２ビームに弾性変位を生じさせて、当該第１ビーム及び第２ビームに設けられた接触部が、前記媒体ガイド面に沿って前記媒体挿入通路内に挿入された前記板状信号伝送媒体に当接する構成になされた電気コネクタにおいて、
前記第１ビーム及び第２ビームの一方側であって前記カム受け部から前記連結ビームに至る領域には、前記延在方向の曲げ剛性が、前記カム受け部が設けられた部位に比して小
さく設定された変位拡張部が設けられ、
前記アクチュエータカムが前記待機位置にあるときの前記第１ビーム及び第２ビームの接触部が、前記媒体ガイド面から前記コンタクト収容部の内部に没して前記媒体挿入通路に突出しない状態に配置されているとともに、
前記アクチュエータカムが前記作用位置に向かって回動操作されたときの前記第１ビーム及び第２ビームの接触部が、前記アクチュエータカムの回動操作による前記変位拡張部の曲げ変形に基づいて、前記コンタクト収容部の内部から前記媒体ガイド面に向かって変位し、前記媒体挿入通路内に配置された前記板状信号伝送媒体と当接することを特徴とする電気コネクタ。
【請求項２】
前記変位拡張部は、前記第１ビーム及び第２ビームの一方側であって前記カム受け部から前記連結ビームに至る領域の全域に設けられていることを特徴とする請求項１記載の電気コネクタ。
【請求項３】
前記変位拡張部は、前記第１ビーム及び第２ビームの一方側であって前記カム受け部から前記連結ビームに至る領域の一部に設けられていることを特徴とする請求項１記載の電気コネクタ。
【請求項４】
前記第１ビーム及び第２ビームが、当該第１ビームと第２ビームとの対向方向に予め定められた板幅（寸法Ｗ）を有して前記延在方向に延びる金属製板状部材からなるものであって、
前記変位拡張部は、前記カム受け部から前記連結ビームに至る領域の全域又は一部における前記板幅（寸法Ｗ）が、前記カム受け部が設けられた部位に比して小さく設定されていることを特徴とする請求項１記載の電気コネクタ。
【請求項５】
前記変位拡張部の前記板幅（寸法Ｗ）が、前記カム受け部から前記連結ビームに向かって減少する構成になされたものであって、
当該変位拡張部の端縁が、前記延在方向に対して傾斜していることを特徴とする請求項４記載の電気コネクタ。
【請求項６】
前記第１ビーム及び第２ビームが、当該第１ビームと第２ビームとの対向方向に直交する方向に予め定められた板厚（寸法Ｔ）を有して前記延在方向に延びる金属製板状部材からなるものであって、
前記変位拡張部は、前記カム受け部から前記連結ビームに至る領域の全域又は一部における前記板厚（寸法Ｔ）が、前記カム受け部が設けられた部位に比して小さく設定されていることを特徴とする請求項１記載の電気コネクタ。
【請求項７】
前記媒体挿入通路の内部に挿入された前記板状信号伝送媒体の絶縁部分に対して、前記アクチュエータカムが前記作用位置に至る前の段階で接触し、当該板状信号伝送媒体を保持する保持手段が設けられていることを特徴とする請求項１記載の電気コネクタ。
【発明の詳細な説明】
【技術分野】
【０００１】
本発明は、アクチュエータカムの回動により導電性コンタクト部材に弾性変位を生じさせることで板状信号伝送媒体に導電性コンタクト部材を当接させる構成になされた電気コネクタに関する。
【背景技術】
【０００２】
一般に、種々の電気機器等において、フレキシブル・プリンテッド・サーキット（ＦＰＣ）や、フレキシブル・フラット・ケーブル（ＦＦＣ）等の各種の板状信号伝送媒体を電気的に接続するための手段として種々の電気コネクタが広く用いられている。例えば、下記の特許文献等のように印刷配線基板上に実装されて使用される電気コネクタにおいては、上述したＦＰＣやＦＦＣ等からなる板状信号伝送媒体が、絶縁ハウジング（インシュレータ）の開口部を通して媒体挿入通路の内部に挿入され、その時点で操作本体部が上方に起こされた「待機位置（開放位置）」にあって板状信号伝送媒体を開放状態（非ロック状態）としているアクチュエータ（接続操作手段）が、作業者の操作力によって電気コネクタの後方側の「作用位置（閉塞位置）」に向かって押し倒されるように回動される構成になされている。
【０００３】
そして、アクチュエータ（接続操作手段）が「作用位置（閉塞位置）」まで回動操作されると、そのアクチュエータに設けられたカム部（アクチュエータカム）が、導電性（例えば、金属製等）コンタクト部材に弾性変位を生じさせ、当該導電性コンタクト部材に設けられた接触部（接点部）が、媒体挿入通路内の板状信号伝送媒体（ＦＰＣ，ＦＦＣ等）に当接し、それによって板状信号伝送媒体の導電性コンタクトによる挟持が行われて固定状態（ロック状態）になされる。一方、その「作用位置（閉塞位置）」にあるアクチュエータが、元の「待機位置（開放位置）」に向かって回動操作が行われると、導電性コンタクト部材の接触部（接点部）の挟持力が解除されていき、「待機位置（開放位置）」に戻された状態になされることで板状信号伝送媒体の抜去が可能となる。
【０００４】
一方、絶縁ハウジング（インシュレータ）の内部には、複数体の導電性コンタクト部材が多極状をなすように配列されているが、一般に、それらの各導電性コンタクト部材に形成された接触部は、板状信号伝送媒体（ＦＰＣ，ＦＦＣ等）が媒体挿入通路の内部に挿入される際、すなわちアクチュエータ（接続操作手段）が「待機位置（開放位置）」にある時点から媒体挿入通路に突出している。そして、その状態から板状信号伝送媒体は、接触部と摺接しながら媒体挿入通路内に挿入され、挿入が完了した時点でアクチュエータが「作用位置（閉塞位置）」まで回動されることで、板状信号伝送媒体の導電性コンタクトによる挟持が行われて固定状態になされ、各導電性コンタクト部材の接触部（接点部）が、板状信号伝送媒体に設けられた導電路（電極パターン）に対して当接し、信号回路又はグランド回路が形成される。
【０００５】
ところが、上述したように従来の電気コネクタでは、アクチュエータ（接続操作手段）が「待機位置（開放位置）」にあるときから板状信号伝送媒体（ＦＰＣ，ＦＦＣ等）に対して導電性コンタクト部材が当接した状態になされることから、板状信号伝送媒体の挿入直後から電気的には導通状態になされる。その結果、例えば、板状信号伝送媒体を挿入した後にアクチュエータの回動操作を行わず、開放状態（非ロック状態）のままで導通検査が行われた場合においても合格状態となり、そのまま製品出荷に回されてしまう可能性がある。
【先行技術文献】
【特許文献】
【０００６】
【特許文献１】特開２０１６−５４１６０号公報
【発明の開示】
【発明が解決しようとする課題】
【０００７】
そこで本発明は、簡易な構成で、板状信号伝送媒体の挿入が行われる際における無用な導通を防止することができるようにした電気コネクタを提供することを目的とする。
【課題を解決するための手段】
【０００８】
上記目的を達成するため本発明では、配線基板上に実装した状態で使用されるものであって、板状信号伝送媒体が挿入される媒体挿入通路を有する絶縁ハウジングと、前記媒体挿入通路を形成している前記絶縁ハウジングの表面の一部からなり、前記媒体挿入通路の内部に挿入された前記板状信号伝送媒体を案内する媒体ガイド面と、前記媒体ガイド面から溝状に窪む状態に凹設されたコンタクト収容部と、前記コンタクト収容部の内部に一部が配置された導電性コンタクト部材と、前記導電性コンタクト部材に設けられたカム受け部に回動可能に支持されて、待機位置と作用位置との間で回動操作されるアクチュエータカムとを備え、前記導電性コンタクト部材が、前記アクチュエータカムと当接する状態に対向配置された第１ビーム及び第２ビームと、前記第１ビーム及び第２ビームにおける延在方向の途中位置を一体的に繋ぐ連結ビームと、を有しているとともに、前記連結ビームを境として前記第１ビーム又は第２ビームにおける延在方向の一方側に配置された前記カム受け部に支持された前記アクチュエータカムが、前記待機位置から前記作用位置に回動操作されることで前記第１ビーム及び第２ビームに弾性変位を生じさせて、当該第１ビーム及び第２ビームに設けられた接触部が、前記媒体ガイド面に沿って前記媒体挿入通路内に挿入された前記板状信号伝送媒体に当接する構成になされた電気コネクタにおいて、前記第１ビーム及び第２ビームの一方側であって前記カム受け部から前記連結ビームに至る領域には、前記延在方向の曲げ剛性が、前記カム受け部が設けられた部位に比して小さく設定された変位拡張部が設けられ、前記アクチュエータカムが前記待機位置にあるときの前記第１ビーム及び第２ビームの接触部が、前記媒体ガイド面から前記コンタクト収容部の内部に没して前記媒体挿入通路に突出しない状態に配置されているとともに、前記アクチュエータカムが前記作用位置に向かって回動操作されたときの前記第１ビーム及び第２ビームの接触部が、前記アクチュエータカムの回動操作による前記変位拡張部の曲げ変形に基づいて、前記コンタクト収容部の内部から前記媒体ガイド面に向かって変位し、前記媒体挿入通路内に配置された前記板状信号伝送媒体と当接する構成が採用されている。
【０００９】
このような構成を有する本発明によれば、アクチュエータカムが待機位置にある状態では、導電性コンタクト部材の接触部がコンタクト収容部の内部に没して媒体挿入通路に突出しない状態に維持されることから、媒体挿入通路の内部に挿入された板状信号伝送媒体が、導電性コンタクト部材の接触部に当接することがなく、板状信号伝送媒体の無用な導通が防止される。一方、アクチュエータカムが作用位置に回動された状態では、変位拡張部の曲げ変形によって導電性コンタクト部材の接触部が板状信号伝送媒体と当接し、板状信号伝送媒体が良好に挟持される。
【００１０】
また、本発明における前記変位拡張部は、前記第１ビーム及び第２ビームの一方側であって、前記カム受け部から前記連結ビームに至る領域の全域又は一部に設けられていることが可能である。
【００１１】
さらに、本発明においては、前記第１ビーム及び第２ビームが、当該第１ビームと第２ビームとの対向方向に予め定められた板幅（寸法Ｗ）を有して前記延在方向に延びる金属製板状部材からなるものであって、前記変位拡張部は、前記カム受け部から前記連結ビームに至る領域の全域又は一部における前記板幅が、前記カム受け部が設けられた部位に比して小さく設定されていることが可能である。
【００１２】
さらにまた、本発明においては、前記変位拡張部の前記板幅（寸法Ｗ）が、前記カム受け部から前記連結ビームに向かって減少する構成になされたものであって、当該変位拡張部の端縁が、前記延在方向に対して傾斜していることが望ましい。
【００１３】
同様に、本発明においては、前記第１ビーム及び第２ビームが、当該第１ビームと第２ビームとの対向方向に直交する方向に予め定められた板厚(寸法Ｔ)を有して前記延在方向に延びる金属製板状部材からなるものであって、前記変位拡張部は、前記カム受け部から前記連結ビームに至る領域の全域又は一部における前記板厚（寸法Ｔ）が、前記カム受け部が設けられた部位に比して小さく設定されていることが望ましい。
【００１４】
このような構成を有する本発明によれば、アクチュエータカムの回動操作時における変位拡張部の曲げ変形が円滑に行われ、板状信号伝送媒体に対して導電性コンタクト部材の接触部が安定的に接触する。
【００１５】
一方、本発明においては、前記媒体挿入通路の内部に挿入された前記板状信号伝送媒体の絶縁部分に対して、前記アクチュエータカムが前記作用位置に至る前の段階で接触し、当該板状信号伝送媒体を保持する保持手段が設けられていることが望ましい。
【００１６】
このような構成によれば、板状信号伝送媒体が媒体挿入通路の内部に挿入されてから、アクチュエータカムが作用位置に回動操作されるまでの間、板状信号伝送媒体が保持手段によって保持状態に維持されることから、アクチュエータカムの回動操作が安定的に行われる。
【発明の効果】
【００１７】
以上述べたように本発明にかかる電気コネクタは、導電性コンタクト部材のカム受け部から連結ビームに至る領域に、カム受け部が設けられた部位に比して曲げ剛性を小さく設定した変位拡張部を設け、アクチュエータカムが待機位置にあるときの導電性コンタクト部材の接触部を、媒体ガイド面からコンタクト収容部の内部に没して媒体挿入通路に突出しない状態とすることで、導電性コンタクト部材の接触部に板状信号伝送媒体が当接することなく挿入可能とし、無用な導通を防止する一方、アクチュエータカムを作用位置に向かって回動操作したときには、変位拡張部の曲げ変形に基づいて板状信号伝送媒体に接触部を当接させて、板状信号伝送媒体の挟持が行われて固定状態とする構成を採用したものであるから、簡易な構成で、板状信号伝送媒体の挿入が行われる際における無用な導通を防止することができる。
【図面の簡単な説明】
【００１８】
【図１】本発明の第１の実施形態にかかる電気コネクタの単体を表したものであって、アクチュエータが初期位置である「待機位置」に立ち上げられた状態の全体構成を前方側上方から表した外観斜視説明図である。
【図２】図１に示された初期状態における電気コネクタの正面説明図である。
【図３】図２中の III - III 線に沿った横断面を拡大して表した断面説明図である。
【図４】図１〜図３に示された電気コネクタに用いられている導電性コンタクト部材を拡大して表した外観斜視説明図である。
【図５】図４に示された導電性コンタクト部材を表した側面説明図である。
【図６】図１〜図３に示された電気コネクタに対して板状信号伝送媒体を近接させた状態を表した外観斜視説明図である。
【図７】図６に示された状態における図３相当の断面説明図である。
【図８】図１〜図３に示された電気コネクタに対して板状信号伝送媒体を挿入した状態を表した外観斜視説明図である。
【図９】図８に示された状態における図３相当の断面説明図である。
【図１０】図８の板状信号伝送媒体を挿入した状態からアクチュエータを「作用位置」に回動させた状態を表した外観斜視説明図である。
【図１１】図１０に示された状態における図３相当の断面説明図である。
【図１２】本発明の第２の実施形態にかかる電気コネクタに用いられている導電性コンタクト部材を拡大して表した外観斜視説明図である。
【図１３】図１２に示された導電性コンタクト部材を備えた第２の実施形態における電気コネクタに板状信号伝送媒体を挿入しようとしている状態を表した図７相当の断面説明図である。
【図１４】図１３に示された状態から板状信号伝送媒体を挿入した状態を表した図９相当の断面説明図である。
【図１５】図１４に示された状態からアクチュエータを「作用位置」に回動させた状態を表した図１１相当の断面説明図である。
【図１６】本発明の第３の実施形態にかかる電気コネクタに用いられている導電性コンタクト部材を表した外観斜視説明図である。
【図１７】第１の実施形態にかかる電気コネクタに保持手段としてのロック部材を設けた第３の実施形態にかかる電気コネクタを表したものであって、アクチュエータが待機位置にある初期状態を示した正面説明図である。
【図１８】図１７中の XVIII - XVIII 線に沿った横断面を拡大して表した断面説明図である。
【図１９】図１７及び図１８に示された初期状態の電気コネクタに対して板状信号伝送媒体を近接させた状態を表した図１８相当の断面説明図である。
【図２０】図１７〜図１９に示された初期状態の電気コネクタに対して板状信号伝送媒体を挿入した状態を表した図１８相当の断面説明図である。
【発明を実施するための形態】
【００１９】
以下において、フレキシブル・プリンテッド・サーキット（ＦＰＣ）やフレキシブル・フラット・ケーブル（ＦＦＣ）等からなる板状信号伝送媒体の接続を行うために、印刷配線基板上に実装して使用される電気コネクタに対して本発明を適用した実施の形態を図面に基づいて詳細に説明する。
【００２０】
［電気コネクタの全体構造について］
すなわち、図１〜図３に示されている本発明の第１の実施形態にかかる電気コネクタ１０は、絶縁ハウジング１１における板状信号伝送媒体が挿入される側の反対側となる後端部分（図３の右方側部分）に、接続操作手段としてのアクチュエータ１２が取り付けられた所謂バックフリップ型構造を有する電気コネクタであって、上述したアクチュエータ（接続操作手段）１２は、図１〜図３に示された初期状態から、図１０及び図１１に示されているように板状信号伝送媒体（ＦＰＣ又はＦＦＣ等）Ｆの挿入方向における後方側（図３の右方側）に向かって押し倒される方向に回動される構成になされている。
【００２１】
絶縁ハウジング１１は、細長状に延在する中空枠体状の絶縁性部材から形成されているが、その絶縁ハウジング１１における長手方向（後述する導電性コンタクト部材の配列方向）を、以下において「コネクタ長手方向」と呼び、板状信号伝送媒体（ＦＰＣ又はＦＦＣ等）Ｆの端末部分は、「コネクタ前方」から「コネクタ後方」に向かって挿入されるものとし、当該板状信号伝送媒体Ｆの挿入方向を「媒体挿入方向」と呼ぶこととする。さらに、板状信号伝送媒体Ｆの端末部分は、「コネクタ後方」から「コネクタ前方」に向かって抜去されるものとし、当該板状信号伝送媒体Ｆの抜去方向を「媒体抜去方向」と呼ぶこととする。また、本実施形態にかかる電気コネクタ１０は、図示を省略した印刷配線基板の表面上に実装されて使用されるが、当該印刷配線基板における実装表面の延在方向を「水平方向」とするとともに、印刷配線基板の実装表面から離れる方向を「上方向」とし、印刷配線基板の実装表面に向かって近付く方向を「下方向」とする。
【００２２】
なお、本実施形態にかかる電気コネクタ１０は、「コネクタ長手方向」において左右対称の構造を有するものであるが、左右対称の配置関係になされた同一の構成部材については、同一の符号を付して片側の構成部材についての説明を行うこととする。
【００２３】
上述した絶縁ハウジング１１の内部には、板状信号伝送媒体（ＦＰＣ又はＦＦＣ等）Ｆが挿入される中空状の媒体挿入通路１１ａが、絶縁ハウジング１１の上側壁面及び下側壁面（底壁面）との間に設けられている。この媒体挿入通路１１ａにおける「コネクタ前方」側の端部分（以下、「コネクタ前端部分」と呼ぶ。）には、板状信号伝送媒体Ｆの端末部分が差し込まれる挿入開口部が「コネクタ長手方向」に沿って細長状に延在するように形成されており、その細長状をなす挿入開口部が、「コネクタ後方」側に向かって延出するようにして媒体挿入通路１１ａの全体が形成されている。
【００２４】
このような媒体挿入通路１１ａの上側壁面及び下側壁面（底壁面）を形成している絶縁ハウジング１１の上下の両表面は、板状信号伝送媒体（ＦＰＣ又はＦＦＣ等）Ｆに接触する媒体ガイド面１１ｂにそれぞれなされており、図６〜図９に示されているようにして媒体挿入通路１１ａの内部に差し込まれた板状信号伝送媒体Ｆが、当該媒体ガイド面１１ｂ，１１ｂに沿って滑動可能に案内される構成になされている。
【００２５】
その絶縁ハウジング１１の上下の両表面からなる両媒体ガイド面１１ｂ，１１ｂには、「コネクタ長手方向」に沿って複数体のコンタクト収容部１１ｃ，１１ｃ，・・・が、予め定められた間隔で並列した状態に凹設されている。それらの各コンタクト収容部１１ｃは、上述した上下の各媒体ガイド面１１ｂから凹溝状に窪む状態に形成されており、それら凹溝状をなす各コンタクト収容部１１ｃが、「コネクタ前後方向」に沿って延在するように設けられている。そして、それらの各コンタクト収容部１１ｃを構成している凹溝状の内部に、適宜の形状をなす薄厚の金属製板状部材により形成された導電性コンタクト部材１３の一部、より具体的には、後述する第１ビーム（上ビーム）１３ａ及び第２ビーム（下ビーム）１３ｂが、「コネクタ前後方向」に延在する状態で装着されている。
【００２６】
上述した各コンタクト収容部１１ｃの内部に装着された導電性コンタクト部材１３は、「コネクタ長手方向」に沿って適宜の間隔をなして多極状をなすように複数体配列されている。それらの各導電性コンタクト部材１３は、信号伝送用又はグランド接続用のいずれかとして使用される構成になされており、図示を省略した印刷配線基板上に形成された導電路（電極パターン）に対して半田接合されることによって実装状態になされる。それら各導電性コンタクト部材１３の詳細な構造については、後段において詳細に説明することとする。
【００２７】
ここで、上述したように絶縁ハウジング１１の「コネクタ後方」寄りの部分（図３の右方側部分）には、接続操作手段としてのアクチュエータ１２が取り付けられているが、当該アクチュエータ１２は、図１〜図３に示されているように、操作本体部１２ｂが上方に位置するように立ち上がった状態が初期の「待機位置」となっている。そして、そのように操作本体部１２ｂが立ち上がった「待機位置」にアクチュエータ１２が回動操作された初期状態においては、絶縁ハウジング１１の前端部分に設けられた挿入開口部から、フレキシブル・プリンテッド・サーキット（ＦＰＣ）やフレキシブル・フラット・ケーブル（ＦＦＣ）等からなる板状信号伝送媒体Ｆの端末部分が、上述した絶縁ハウジング１１の媒体挿入通路１１ａの内部に向かって差し込まれるようにして挿入される。
【００２８】
そのように板状信号伝送媒体（ＦＰＣ又はＦＦＣ等）Ｆの挿入が行われるにあたっては、上述した媒体挿入通路１１ａの下側壁面（底壁面）及び上側壁面を形成している媒体ガイド面１１ｂ，１１ｂに沿って板状信号伝送媒体Ｆが滑動しながら「コネクタ後方側」に移動が行われる。また、板状信号伝送媒体Ｆが抜去されるにあたっては、同様に媒体挿入通路１１ａの下側壁面（底壁面）及び上側壁面を形成している媒体ガイド面１１ｂ，１１ｂに沿って板状信号伝送媒体Ｆが滑動しながら「コネクタ前方側」に移動が行われる構成になされている。
【００２９】
一方、上述した絶縁ハウジング１１の後端縁部分（図３の右端縁部分）には、アクチュエータ１２や導電性コンタクト部材１３等を絶縁ハウジング１１の内部に装着するための部品装着口が設けられている。そのコネクタ後端側の部品装着口を通して絶縁ハウジング１１の内部に装着される各導電性コンタクト部材１３は、媒体挿入通路１１ａに設けられたコンタクト収容部１１ｃを「コネクタ前方側」に向かって滑動するようにして挿入されていき、予め決められた位置で固定状態になされる。
【００３０】
ここで、前述したように導電性コンタクト部材１３は、「コネクタ長手方向」において多極配列状をなすように複数体にわたって装着されているが、それらの各導電性コンタクト部材１３は、媒体挿入通路１１ａの内部に挿入された板状信号伝送媒体（ＦＰＣ又はＦＦＣ等）Ｆの導電路（電極パターン）に対応した位置にそれぞれ配置されている。その板状信号伝送媒体Ｆに形成された導電路（電極パターン）Ｆａ（図６参照）は、信号伝送用導電路（信号線パッド）又はシールド用導電路（シールド線パッド）を適宜のピッチ間隔で配置した構成になされている。
【００３１】
［導電性コンタクト部材について］
次に、前述した導電性コンタクト部材１３の具体的な構造について説明する。図３及び図４にも示されているように、導電性コンタクト部材１３の各々は、板状信号伝送媒体（ＦＰＣ又はＦＦＣ等）Ｆの挿入・抜去の方向（図３の左右方向）である「コネクタ前後方向」に沿って略平行に延在する一対の細長状の金属製板状部材からなる第１ビーム（上ビーム）１３ａ及び第２ビーム（下ビーム）１３ｂをそれぞれ有している。これらの第１ビーム１３ａ及び第２ビーム１３ｂは、上述したように絶縁ハウジング１１の各コンタクト収容部１１ｃの内部に略水平方向に延在する状態に収容されており、中空状の空間からなる媒体挿入通路１１ａを挟んで「上下方向」に適宜の間隔をなして互いに対向する状態に配置されている。
【００３２】
それらの第１ビーム（上ビーム）１３ａ及び第２ビーム（下ビーム）１３ｂにおける延在方向（水平方向）の途中位置同士は、細幅の金属製板状部材からなる連結ビーム１３ｃを介して一体的に連結されている。そして、その連結ビーム１３ｃ並びに第１及び第２の両ビーム１３ａ，１３ｂが有する可撓性によって、第１及び第２の両ビーム１３ａ，１３ｂが、連結ビーム１３ｃを介して揺動するように弾性変位する構成になされている。その弾性変位に関する詳細な説明については後述することとするが、当該第１ビーム（上ビーム）１３ａ及び第２ビーム（下ビーム）１３ｂの揺動は、図３の紙面内において上下の方向に行われる。
【００３３】
また、絶縁ハウジング１１の上方側に配置されたコンタクト収容部１１ｃに沿って「コネクタ前後方向」に延在する第１ビーム（上ビーム）１３ａの前端側部分（図３の左端側部分）には、板状信号伝送媒体（ＦＰＣ又はＦＦＣ等）Ｆの図示上面側に形成された伝送パターン（信号伝送用又はシールド用の配線ランド部）Ｆａ（図６参照）のいずれかに接続される接触部としての上端子接触凸部１３ａ１が、図示下向きの突形状をなすように設けられている。同様に、絶縁ハウジング１１の下方側のコンタクト収容部１１ｃに沿って「コネクタ前後方向」に延在する第２ビーム（下ビーム）１３ｂの前端側部分（図３の左端側部分）には、板状信号伝送媒体（ＦＰＣ又はＦＦＣ等）Ｆの図示下面側に形成された伝送パターン（信号伝送用又はシールド用の配線ランド部）Ｆａのいずれかに接続される接触部としての下端子接触凸部１３ｂ１が図示上向きの突形状をなすように設けられている。
【００３４】
これらの上端子接触凸部（接触部）１３ａ１及び下端子接触凸部（接触部）１３ｂ１を含む第１ビーム（上ビーム）１３ａ及び第２ビーム（下ビーム）１３ｂの全体は、アクチュエータ１２が「待機位置」にある初期状態において、上述した上下の両コンタクト収容部１１ｃ，１１ｃの内部に没した状態に配置されており、中空状の媒体挿入通路１１ａに突出しない状態にて配置されている。すなわち、板状信号伝送媒体（ＦＰＣ又はＦＦＣ等）Ｆが媒体挿入通路１１ａの内部に挿入されるにあたっては、上下の両媒体ガイド面１１ｂ，１１ｂの各端縁に板状信号伝送媒体Ｆの上下の各表面が接触しながら移動が行われる一方、当該板状信号伝送媒体Ｆの上下の各表面は、上端子接触凸部１３ａ１及び下端子接触凸部１３ｂ１を含む第１ビーム１３ａ及び第２ビーム１３ｂの全体に対して、非接触の状態に維持される構成になされている。
【００３５】
そして、上述したように導電性コンタクト部材１３に対して非接触の状態で媒体挿入通路１１ａの内部に板状信号伝送媒体（ＦＰＣ又はＦＦＣ等）Ｆが挿入されると（図８及び図９参照）、その後にアクチュエータ（接続操作手段）１２が「待機位置」から「作用位置」に回動操作される（図１０及び図１１参照）。それによって、導電性コンタクト部材１３の第１ビーム（上ビーム）１３ａ及び第２ビーム（下ビーム）１３ｂの上端子接触凸部（接触部）１３ａ１及び下端子接触凸部（接触部）１３ｂ１が、板状信号伝送媒体Ｆの上下両側の表面に対して両側から挟むように当接した状態になされ、当該板状信号伝送媒体Ｆの挟持が行われる。この板状信号伝送媒体Ｆの挟持動作については後段において詳細に説明する。
【００３６】
なお、本実施形態では、導電性コンタクト部材１３における第１ビーム（上ビーム）１３ａの上端子接触凸部（接触部）１３ａ１と、第２ビーム（下ビーム）１３ｂの下端子接触凸部（接触部）１３ｂ１とが、上下方向に直接的に対向する配置関係になされているが、両者の相対位置をコネクタ前方側（図３の左方側）或いはコネクタ後方側（図３の右方側）にずらして配置することも可能である。
【００３７】
このとき、上述した第２ビーム（下ビーム）１３ｂの後端側部分（図３の右端側部分）には、印刷配線基板上に形成された配線ランド部（導電路）に半田接続される基板接続部１３ｂ２が設けられている。この基板接続部１３ｂ２は、印刷配線基板上の配線ランド部（導電路）に対して上方から位置合わせされた状態で載置され、例えば、半田材を用いた一括的な接合作業によって電気的な接続が行われる。
【００３８】
さらに、第１ビーム（上ビーム）１３ａの後端側部分（図３の右端側部分）における下縁部には、比較的平坦状をなして延在するカム作用部１３ａ２が設けられているとともに、そのカム作用部１３ａ２に対向する第２ビーム（下ビーム）１３ｂの後端側部分には、凹形状の上端縁をなすように形成されたカム受け部１３ｂ３が設けられている。そして、第２ビーム１３ｂのカム受け部１３ｂ３に対して、上述したアクチュエータ（接続操作手段）１２に設けられたアクチュエータカム１２ａが滑動可能な接触状態に配置されていることによって、アクチュエータ１２の全体が、アクチュエータカム１２ａとともに一体的に回動される構成になされている。
【００３９】
上述したアクチュエータカム１２ａの外周にはカム面が形成されており、アクチュエータ１２が「待機位置」にあるとき、当該アクチュエータカム１２ａに、曲面状に形成されたカム面が、第１ビーム１３ａのカム作用部１３ａ２に対して下方側から当接することによって、第１ビーム１３ａの後端側部分（図３の右端側部分）が上方に持ち上げられる方向に弾性変位されるようになっている。
【００４０】
一方、前述したアクチュエータ（接続操作手段）１２の全体は、「コネクタ長手方向」に沿って細長状に延在するように形成されていて、絶縁ハウジング１１の全幅とほぼ同じ長さに渡って配置されている。当該アクチュエータ１２は、上述したようにアクチュエータカム１２ａと一体的に回動される状態に取り付けられており、回動半径における外方側の部分（図３の上方側部分）が、「コネクタ長手方向」に細長状に延在する板状部材からなる操作本体部１２ｂになされている。そして、その操作本体部１２ｂに対して操作が行われることによって、アクチュエータ１２の全体が、図１〜図３のようにほぼ直立した初期状態である「待機位置」と、図１０及び図１１のようにコネクタ後方側に向かってほぼ水平に倒された状態の「作用位置」との間で回動される構成になされている。
【００４１】
このアクチュエータ（接続操作手段）１２の操作本体部１２ｂがアクチュエータカム１２ａと連結されている部分には、導電性コンタクト部材１３の第１ビーム（上ビーム）１３ａとの干渉を回避するための複数のスリット穴１２ｃが、「コネクタ長手方向」に沿って一定の間隔をなして並列する櫛歯状をなすように形成されている。それらのスリット穴１２ｃは、導電性コンタクト部材１３に対応した位置において、「待機位置」にあるアクチュエータ１２の操作本体部１２ｂを「コネクタ前後方向」に貫通するように形成されている。
【００４２】
そして、このようなアクチュエータ（接続操作手段）１２が、略水平に倒された状態の「作用位置」（図１０及び図１１参照）から、上方に立ち上がる「待機位置」（図１〜図３参照）に向かって回動されたときには、上述したスリット穴１２ｃに導電性コンタクト部材１３を構成している第１ビーム（上ビーム）１３ａの後端部分が挿入される。このときの第１ビーム１３ａの挿入は、アクチュエータ１２の操作本体部１２ｂの正面側である前面側から行われ、スリット穴１２ｃを貫通した第１ビーム１３ａの後端部分が、アクチュエータ１２の操作本体部１２ｂの背面から外方（後方）に向かって突出した状態になされる。
【００４３】
一方、アクチュエータ（接続操作手段）１２の操作本体部１２ｂが、「待機位置」（図１〜図３参照）から「作用位置」（図１０及び図１１参照）に向かって押し倒されるようにして回動操作が行われると、上述した導電性コンタクト部材１３の第１ビーム（上ビーム）１３ａと第２ビーム（下ビーム）１３ｂとの間において、アクチュエータカム１２ａが回動することで、第１ビーム１３ａの後端側に設けられたカム作用部１３ａ２が、カム面により上方側に持ち上げられるように弾性変位する。それに伴って、当該第１ビーム１３ａのカム作用部１３ａ２と反対側（コネクタ前端側）に設けられた上端子接触凸部（接触部）１３ａ１が下方に向かって押し下げられていき、板状信号伝送媒体（ＦＰＣ又はＦＦＣ等）Ｆの上側表面に当接する。
【００４４】
このように第１ビーム（上ビーム）１３ａの上端子接触凸部（接触部）１３ａ１が板状信号伝送媒体（ＦＰＣ又はＦＦＣ等）Ｆに当接した状態から、更にアクチュエータ（接続操作手段）１２の操作本体部１２ｂが同方向に回動されると、後述するように第２ビーム（下ビーム）１３ｂのカム受け部１３ｂ３より前端側の部分が上方に変位し始め、当該第２ビーム１３ａの下端子接触凸部（接触部）１３ｂ１が上方に持ち上げられることとなって、板状信号伝送媒体Ｆの下側表面に当接する。この点は、本発明の要部を構成するものであり、後段において詳細に説明する。
【００４５】
そして、アクチュエータ（接続操作手段）１２が最終の回動位置である「作用位置」まで回動しきったときには（図１０及び図１１参照）、上述した導電性コンタクト部材１３の第１ビーム（上ビーム）１３ａに設けられた上端子接触凸部（接触部）１３ａ１、及び第２ビーム（下ビーム）１３ｂの下端子接触凸部（接触部）１３ｂ１が、板状信号伝送媒体（ＦＰＣ又はＦＦＣ等）Ｆの上下両表面に対して当接状態となり、当該導電性コンタクト部材１３の上端子接触凸部１３ａ１及び下端子接触凸部１３ｂ１同士の間に板状信号伝送媒体Ｆが挟持され、その板状信号伝送媒体Ｆの配線ランド部（信号伝送用及びシールド用の配線ランド部）Ｆａに対して、導電性コンタクト部材１３の上端子接触凸部１３ａ１及び下端子接触凸部１３ｂ１が圧接されることで電気的な接続が行われる構成になされている。
【００４６】
一方、「コネクタ長手方向」の両側部分に配置された導電性コンタクト部材１３のさらに外方側には、細長板状の金属部材からなるロック部材１５，１５が、絶縁ハウジング１１に取り付けられている。これらのロック部材１５，１５は、上述した導電性コンタクト部材１３に対して略平行に延在するように配置されており、媒体挿入通路１１ａ内に挿入された直後の板状信号伝送媒体（ＦＰＣ又はＦＦＣ等）Ｆに対して、当該両ロック部材１５，１５が接触状態になされることで板状信号伝送媒体Ｆが保持された状態になされる。すなわち、これらのロック部材１５，１５は、前述したようにアクチュエータカム１２ａが「作用位置」に至るまでの段階において、板状信号伝送媒体Ｆを保持の状態に維持する保持手段としての構成を備えている。（図１７〜図２０参照）
【００４７】
前述したようにアクチュエータ（接続操作手段）１２が「作用位置」まで回動しきった状態においては（図１０及び図１１参照）、当該アクチュエータ１２の操作本体部１２ｂの操作部背面側が、印刷配線基板の実装表面に対して略平行に延在する下面をなすように配置されることとなるが、その場合におけるアクチュエータ１２の操作部背面（下面）は、印刷配線基板の実装面に対して上方側から対向する配置関係になされている。
【００４８】
［導電性コンタクト部材の第２ビーム（下ビーム）について］
ここで、前述したように導電性コンタクト部材１３の第２ビーム（下ビーム）１３ｂには、「コネクタ後方側」の部位にカム受け部１３ｂ３が凹状をなすように設けられているが、そのカム受け部１３ｂ３から連結ビーム１３ｃに至るまでの領域の全体には、当該第２ビーム１３ｃ１の板幅（上下方向の寸法Ｗ）が、他の部分に比して縮小された変位拡張部１３ｂ４が設けられている。すなわち、この相対的に小さい板幅をなして延在する変位拡張部１３ｂ４は、第２ビーム１３ｃ１の延在方向（略水平方向）における曲げ剛性が、上述したカム受け部１３ｂ３が設けられた部分の剛性に比して小さく設定されている。
【００４９】
より具体的には、上述した変位拡張部１３ｂ４の板幅（上下方向の寸法Ｗ）は、カム受け部１３ｂ３が設けられている部位の板幅から連結ビーム１３ｃに向かって減少しており、当該変位拡張部１３ｂ４の上端縁が、その下端縁を基準として「コネクタ前方側」（図３の左方側）に向かって連続的に下降する傾斜辺になされている。そして、このような変位拡張部１３ｂ４を有する導電性コンタクト部材１３に対して、前述したアクチュエータカム１２ａの回動操作に基づく曲げ応力が付加されると、最初に、導電性コンタクト部材１３の全体のうちの第１ビーム（上ビーム）１３ａに弾性変位を生じ、その後に変位拡張部１３ｂ４に曲げ変形を生じる構成になされている。
【００５０】
この点を具体的に説明すると、まず、前述したようにアクチュエータカム１２ａが「待機位置」にあるときには（図１〜図３参照）、導電性コンタクト部材１３の第１ビーム（上ビーム）１３ａ及び第２ビーム（下ビーム）１３ｂに設けられた上端子接触凸部（接触部）１３ａ１及び下端子接触凸部（接触部）１３ｂ１が、媒体ガイド面１１ｂからコンタクト収容部１１ｃの内部に没して媒体挿入通路１１ａ側に突出しない状態に配置されている。従って、板状信号伝送媒体（ＦＰＣ又はＦＦＣ等）Ｆは、導電性コンタクト部材１３に対して非接触状態で媒体挿入通路１１ａの内部に円滑に挿入されていく。
【００５１】
このようにして媒体挿入通路１１ａの内部に板状信号伝送媒体（ＦＰＣ又はＦＦＣ等）Ｆが挿入された後、アクチュエータカム１２ａが「作用位置」に向かって回動操作されると、まず導電性コンタクト部材１３の第１ビーム（上ビーム）１３ａが、シーソー状に弾性変位し、それによって上端子接触凸部（接触部）１３ａ１が板状信号伝送媒体Ｆの上側表面に当接する。そのような第１ビーム１３ａの上端子接触凸部（接触部）１３ａ１が板状信号伝送媒体Ｆの上側表面に当接した状態から、更にアクチュエータカム１２ａの回動操作が行われると、第２ビーム（下ビーム）１３ｂのカム受け部１３ｂ３より前方側の部分が上方に向かって持ち上げられるように曲げ応力が付与される。
【００５２】
そして、上述したように第２ビーム（下ビーム）１３ｂが上方に向かって持ち上げられるように曲げ応力が付与されると、その第２ビーム１３ｂのうち、剛性が小さく設定されている変位拡張部１３ｂ４に、他の部分に比してより大きな上反り方向の曲げ変形を生じる。そして、そのように変位拡張部１３ｂ４が曲げ変形されることで、当該第２ビーム１３ａの下端子接触凸部（接触部）１３ｂ１が上方に持ち上げられ、それによって板状信号伝送媒体（ＦＰＣ又はＦＦＣ等）Ｆの下側表面に下端子接触凸部１３ｂ１が当接することとなる。
【００５３】
その結果、導電性コンタクト部材１３の第１ビーム（上ビーム）１３ａに設けられた上端子接触凸部（接触部）１３ａ１と、第２ビーム（下ビーム）１３ｂの下端子接触凸部（接触部）１３ｂ１との間に、板状信号伝送媒体（ＦＰＣ又はＦＦＣ等）Ｆが挟持された状態となり、その媒体挿入通路１１ａの内部に固定状態になされた板状信号伝送媒体Ｆの配線ランド部（信号伝送用及びシールド用の配線ランド部）Ｆａに対して、導電性コンタクト部材１３の上端子接触凸部１３ａ１が当接されて電気的な接続が行われる。なお、配線ランド部Ｆａが板状信号伝送媒体Ｆの下面側に配置されている場合は、配線ランド部Ｆａに対して下端子接触凸部１３ｂ１が当接されて電気的な接続が行われる。
【００５４】
このような構成を有する本実施形態によれば、アクチュエータ１２に設けられたアクチュエータカム１２ａが「待機位置」にある状態（図１〜図３参照）にあっては、導電性コンタクト部材１３の上端子接触凸部（接触部）１３ａ１及び下端子接触凸部（接触部）１３ｂ１が、コンタクト収容部１１ｃの内部に没して媒体挿入通路１１ａに突出しない状態に配置されることから、媒体挿入通路１１ａの内部に挿入される板状信号伝送媒体（ＦＰＣ又はＦＦＣ等）Ｆが、導電性コンタクト部材１３の上端子接触凸部１３ａ１及び下端子接触凸部１３ｂ１に当接することがなく、板状信号伝送媒体Ｆの無用な導通が防止される。
【００５５】
一方、板状信号伝送媒体（ＦＰＣ又はＦＦＣ等）Ｆが媒体挿入通路１１ａの内部に挿入された後にアクチュエータカム１２ａが「作用位置」に回動された状態（図１０及び図１１参照）にあっては、剛性の小さい変位拡張部１３ｂ４が他の部分に比してより大きな上反り方向の曲げ変形を生じることによって、導電性コンタクト部材１３の下端子接触凸部（接触部）１３ｂ１が板状信号伝送媒体Ｆの下表面に当接し、上端子接触凸部（接触部）１３ａ１が板状信号伝送媒体Ｆの上表面に当接することで、当該板状信号伝送媒体Ｆが良好に挟持される。
【００５６】
特に、本実施形態においては、導電性コンタクト部材１３に設けられた変位拡張部１３ｂ４の板幅（上下方向の寸法Ｗ）が、カム受け部１３ｂ３から連結ビーム１３ｃに向かって減少していることから、変位拡張部１３ｂ４の曲げ変形が円滑に行われることとなり、導電性コンタクト部材１３の上端子接触凸部（接触部）１３ａ１及び下端子接触凸部（接触部）１３ｂ１が板状信号伝送媒体Ｆに対して安定的に接触する。
【００５７】
一方、上述した第１の実施形態にかかる各部材に付した符号の十の位「１」を「２」に変更して表した図１２〜図１５にかかる第２の実施形態においては、導電性コンタクト部材２３の第２ビーム（下ビーム）２３ｂにおいて、カム受け部２３ｂ３から連結ビーム２３ｃに至る領域に部分的に設けられた変位拡張部２３ｂ４の下端縁が、絶縁ハウジング２１の底面から持ち上げられるようにして上方に離間した形状を備えている。そして、そのように変位拡張部２３ｂ４の下端縁が、絶縁ハウジング２１の底面から上方に離間している分だけ、変位拡張部２３ｂ４の板幅（上下方向の寸法）が、他の部位よりも小さく設定されている。このような第２の実施形態においても、上述した第１の実施形態と同様な作用・効果を得ることができる。
【００５８】
また、前述した第１の実施形態にかかる各部材に付した符号の十の位「１」を「３」に変更して表した図１６にかかる第３の実施形態では、予め定められた板厚を有して延在する金属製板状部材からなる導電性コンタクト部材３３において、板厚を減じることによって変位拡張部３３ｂ４が設けられている。より具体的には、本実施形態における変位拡張部３３ｂ４は、導電性コンタクト部材３３の板厚、すなわち第１ビーム（上ビーム）３３ａと第２ビーム（下ビーム）３３ｂとが対向する上下方向に直交する方向（多極配列方向）の寸法Ｔが、カム受け部３３ｂ３が設けられている部位から連結ビーム３３ｃに向かって減少する構成になされている。
【００５９】
このような板厚（寸法Ｔ）を減じた変位拡張部３３ｂ４を有する導電性コンタクト部材３３においても、アクチュエータカムからの曲げ応力に対する変位拡張部３３ｂ４の剛性が、カム受け部３３ｂ３が設けられている部位よりも減じられていることから、上述した各実施形態と同様な作用・効果を得ることができる。
【００６０】
ここで、上述した第１及び第２の各実施形態に対しては、アクチュエータカム１２ａ，２２ａが「作用位置」に至るまでの段階において板状信号伝送媒体（ＦＰＣ又はＦＦＣ等）Ｆを挿入した状態に維持する「保持手段」を追加的に配置することが可能であり、例えば図１７〜図２０に示された第３の実施形態は、前述した第１実施形態にかかる電気コネクタ１０に、「保持手段」としてのロック部材１５を付加的に設けたものである。
【００６１】
具体的な構成を説明すると、まず図１７に示されているように、多極状に配列された複数体の導電性コンタクト部材１３のうち、多極配列の両側部分に配置された導電性コンタクト部材１３，１３のさらに「コネクタ長手方向」の外方側に、細長状の金属製板状部材からなるロック部材１５，１５が、導電性コンタクト部材１３と略平行に延在するように配置されている。これらの各ロック部材１５の基本的な構成は、導電性コンタクト部材１３と同様なものとなっており、導電性コンタクト部材１３と同一の構成を有する部材については、導電性コンタクト部材１３に付与した符号「１３」を「１５」に替えて説明を省略することとし、主として異なる構成を有する部位についての説明を以下において行う。なお、ロック部材１５には、導電性コンタクト部材１３の「変位拡張部」に相当する構成は設けられていない。
【００６２】
すなわち、図１８に示されているように、各ロック部材１５を構成している第１ビーム（上ビーム）１５ａと第２ビーム（下ビーム）１５ｂとの間には、板状信号伝送媒体（ＦＰＣ又はＦＦＣ等）Ｆが挿入される媒体挿入通路１１ａが上述した実施形態と同様に形成されているが、その媒体挿入通路１１ａの下面側を構成している第２ビーム（下ビーム）１５ｂの上端縁は、下方側の媒体ガイド面１１ｂと略同一の高さを有している。この第２ビーム（下ビーム）１５ｂの上端縁は、「コネクタ前後方向」に平坦状をなして延在しており、前述した第１実施形態における導電性コンタクト部材１３の下端子接触凸部（接触部）１３ｂ１のように媒体挿入通路１１ａの内部に突出する部分は設けられていない。従って、図１９及び図２０に示されているように、媒体挿入通路１１ａの内部に挿入された板状信号伝送媒体Ｆの下方側の表面が、ロック部材１５の第２ビーム（下ビーム）１５ｂの上端縁に接触しながら挿入移動が行われる構成になされている。
【００６３】
これに対して、各ロック部材１５を構成している第１ビーム（上ビーム）１５ａの前端側部分（図１８の左端側部分）には、図示下向きの突形状をなす係止凸部１５ａ１が設けられている。この係止凸部１５ａ１は、アクチュエータ１２が「待機位置」にある初期状態において、上方側の媒体ガイド面１１ｂから媒体挿入通路１１ａの内部に向かって下方に突出した状態に配置されている。そして、媒体挿入通路１１ａの内部に挿入された板状信号伝送媒体（ＦＰＣ又はＦＦＣ等）Ｆの挿入側先端部が、ロック部材１５の係止凸部１５ａ１に当接すると、当該ロック部材１５の係止凸部１５ａ１は、板状信号伝送媒体Ｆの上方側の表面に乗り上げ、その際にロック部材１５の第１ビーム（上ビーム）１５ａが弾性変形されるようになっている。
【００６４】
このように、板状信号伝送媒体（ＦＰＣ又はＦＦＣ等）Ｆの上側表面に対してロック部材１５の係止凸部１５ａ１が接触した状態で板状信号伝送媒体Ｆの挿入移動が継続されることとなるが、当該板状信号伝送媒体Ｆの板幅方向（コネクタ長手方向）の両側部分には切欠き凹部Ｆｂ（図１９及び図２０参照）がそれぞれ設けられている。そして、それらの各切欠き凹部Ｆｂが、上述したロック部材１５の係止凸部１５ａ１の配置位置に到達したときに、当該切欠き凹部Ｆｂの内部に、ロック部材１５の係止凸部１５ａ１が落ち込むようにして嵌合状態となる（図２０参照）。これによって、板状信号伝送媒体Ｆが意に反して抜去されることのない状態に維持されることとなる。
【００６５】
上述したように本実施形態においては、「コネクタ長手方向」の両側部分に配置された両ロック部材１５，１５が、板状信号伝送媒体（ＦＰＣ又はＦＦＣ等）Ｆが媒体挿入通路１１ａ内に挿入された直後から接触状態になされ、それによって板状信号伝送媒体Ｆが安定的に保持される構成となっている。すなわち、当該ロック部材１５は、アクチュエータカム１２ａが「作用位置」に回動されて最終的な挟持状態になされるまでの段階で板状信号伝送媒体Ｆを保持状態に維持する保持手段としての構成を備えていることから、アクチュエータカム１２ａの回動操作が安定的に行われる。
【００６６】
なお、上述した保持手段としてのロック部材は、アクチュエータ１２が開いた初期状態にあるときに（図１７〜図１９参照）、媒体挿入通路１１ａ内に挿入された板状信号伝送媒体（ＦＰＣ又はＦＦＣ等）Ｆを保持できるものであれば、他の構成とすることも可能である。例えば、上下の両ビーム１５ａ，１５ｂにおいて、対向する端縁部同士の間の距離を板状信号伝送媒体Ｆの厚みよりも小さくしておき、それら両ビーム１５ａ，１５ｂの間に板状信号伝送媒体Ｆを挟持する構成を採用することもできる。
【００６７】
この場合、下ビーム１５ｂの端縁部に係止凸部を設けてもよく、また板状信号伝送媒体Ｆに切欠き凹部を設けない構成とすることも可能である。
【００６８】
以上、本発明者によってなされた発明を実施形態に基づき具体的に説明したが、本発明は上述した実施形態に限定されるものではなく、その要旨を逸脱しない範囲で種々変形可能であるというのはいうまでもない。
【００６９】
例えば、上述した実施形態においては、導電性コンタクト部材に設けられた変位拡張部は、第２ビーム（下ビーム）のカム受け部から連結ビームに至る領域の全域に設けられているが、一部の領域に設けることもできる。
【００７０】
さらに、上述した各実施形態では、電気コネクタに固定される板状信号伝送媒体として、フレキシブル・プリンテッド・サーキット（ＦＰＣ）、及びフレキシブル・フラット・ケーブル（ＦＦＣ）を採用しているが、その他の信号伝送用媒体等を用いた場合に対しても本発明は同様に適用することができる。
【００７１】
さらに、上述した実施形態にかかる電気コネクタには、同一形状を有する導電性コンタクト部材が多極状に配列された構成を採用しているが、異なる形状の導電性コンタクト部材を用いたものであっても本発明は同様に適用することが可能である。
【００７２】
さらにまた本発明は、上述した実施形態のような水平挿入型の電気コネクタ、すなわち信号伝送用媒体を配線基板に対して略平行に挿入する型式の電気コネクタのみならず、信号伝送用媒体を配線基板に対して略垂直に挿入する垂直挿入型の電気コネクタに対しても同様に適用することができる。
【産業上の利用可能性】
【００７３】
本発明は、各種電気機器に使用する多種多様な電気コネクタに対して広く適用することが可能である。
【符号の説明】
【００７４】
１０  電気コネクタ
１１  絶縁ハウジング
１１ａ  媒体挿入通路
１１ｂ  媒体ガイド面
１１ｃ  コンタクト収容部
１２  アクチュエータ（接続操作手段）
１２ａ  アクチュエータカム
１２ｂ  操作本体部
１２ｃ  スリット穴
１３  導電性コンタクト部材
１３ａ  第１ビーム（上ビーム）
１３ａ１  上端子接触凸部（接触部）
１３ａ２  カム作用部
１３ｂ  第２ビーム（下ビーム）
１３ｂ１  下端子接触凸部（接触部）
１３ｂ２  基板接続部
１３ｂ３  カム受け部
１３ｂ４  変位拡張部
１３ｃ  連結ビーム
１４    保持金具
１５  ロック部材（保持手段）
１５ａ  第１ビーム（上ビーム）
１５ａ１  係止凸部
１５ａ２  カム作用部
１５ｂ  第２ビーム（下ビーム）
１５ｂ２  基板接続部
１５ｂ３  カム受け部
Ｆ  板状信号伝送媒体（ＦＰＣ又はＦＦＣ等）
Ｆａ  導電路（電極パターン）
Ｆｂ  切欠き凹部
２３，３３  導電性コンタクト部材
２３ａ，３３ａ  第１ビーム（上ビーム）
２３ａ１，３３ａ１  上端子接触凸部（接触部）
２３ａ２，３３ａ２  カム作用部
２３ｂ，３３ｂ  第２ビーム（下ビーム）
２３ｂ１，３３ｂ１  下端子接触凸部（接触部）
２３ｂ２，３３ｂ２  基板接続部
２３ｂ３，３３ｂ３  カム受け部
２３ｂ４，３３ｂ４  変位拡張部
【図１】
2018022618.tif 000003
【図２】
2018022618.tif 000004
【図３】
2018022618.tif 000005
【図４】
2018022618.tif 000006
【図５】
2018022618.tif 000007
【図６】
2018022618.tif 000008
【図７】
2018022618.tif 000009
【図８】
2018022618.tif 000010
【図９】
2018022618.tif 000011
【図１０】
2018022618.tif 000012
【図１１】
2018022618.tif 000013
【図１２】
2018022618.tif 000014
【図１３】
2018022618.tif 000015
【図１４】
2018022618.tif 000016
【図１５】
2018022618.tif 000017
【図１６】
2018022618.tif 000018
【図１７】
2018022618.tif 000019
【図１８】
2018022618.tif 000020
【図１９】
2018022618.tif 000021
【図２０】
2018022618.tif 000022